(57)【特許請求の範囲】
【請求項１】
車外に設けられ、車両の下方または側方の像を乗員へ反射させるミラーを配する車両のミラー構造であって、
前記車両には、第一辺が車両のフロントピラーで画成され、第二辺が前記第一辺より後方において車両上下方向へ延出されるサブピラーで画成され、第三辺がフロントフェンダで画成される開口に配されるサブウインドが設けられ、
前記ミラーは、前記サブウインドを通して車両の下方または側方の像を前記車両の運転席乗員へ反射させるように、かつ、前記運転席乗員から見て前記サブウインドの前記第三辺直上の領域を遮らないように設けられ、
前記フロントピラーは、
外表面をなすピラーアウタパネルと、
前記ピラーアウタパネルの車室内側に配されるピラーインナパネルと、
前記ピラーアウタパネルと前記ピラーインナパネルとの間に配されるピラーレインフォースメントと、
を備え、
前記ミラーは、前記ピラーレインフォースメントに固定される
ことを特徴とする車両のミラー構造。
【請求項２】
前記サブウインドの近傍には、車両後方の像を乗員へ反射させる後視鏡が配されることを特徴とする請求項１に記載の車両のミラー構造。
【請求項３】
前記ミラーは前記後視鏡より車両前方に配されることを特徴とする請求項２に記載の車両のミラー構造。
【請求項４】
前記ミラーは、車両側面視で前記フロントピラーの上縁部より下方に配されることを特徴とする請求項１乃至３のいずれか１項に記載の車両のミラー構造。
【請求項５】
前記ミラーは凸面鏡であることを特徴とする請求項１乃至４のいずれか１項に記載の車両のミラー構造。
【請求項６】
前記ピラーアウタパネルと前記ピラーレインフォースメントとにより閉断面が形成されており、
前記ミラーは、前記閉断面を貫通するように設けられた固定手段により、前記ピラーアウタパネルと前記ピラーレインフォースメントとに共締め固定されていることを特徴とする請求項１乃至５のいずれか１項に記載の車両のミラー構造。
【発明の詳細な説明】
【技術分野】
【０００１】
本発明は、車両のミラー構造に関し、特に、車両の下方または側方の視界を確保するためのミラー構造に関する。
【背景技術】
【０００２】
車両の側面下方の視界を確保することは安全対策上の重要な要請である。この要請に応えるミラー構造の典型例として、ドアミラーとは別体のサブミラーをフロントフェンダに設けたものが知られている（例えば、特許文献１を参照。）。しかし、このようなサブミラーは一般にはアンダミラーともよばれるもので、車両の側面全体に亘って下方の視界を確保しようとするものではなく、助手席側の前輪部近傍の限定的な視界が確保されるだけものであることが多い。
【０００３】
これに対し、非特許文献１〜３に開示されているサブミラーは、同様にフロントフェンダに設けられるものではあるが、二面鏡を採用し、左フロントノーズの下部および左サイドボディの下部を映すものとなっている。
【０００４】
【特許文献１】特開２００５−４１２７０号公報
【非特許文献１】トヨタ自動車株式会社が提供するサイト、アルファードＶのカタログページ、［平成１７年８月１７日検索］、インターネット＜URL : http://gazoo.com/nvis2/cata_2asp?cd=91A3&Frame=btm＞
【非特許文献２】トヨタ自動車株式会社ホームページ、アルファードＧの紹介ページ、［平成１７年８月１７日検索］、インターネット＜URL : http://toyota.jp/alphardg/safety/active/index.html＞
【非特許文献３】トヨタ自動車株式会社ホームページ、アルファードＧの紹介ページ、［平成１７年８月１７日検索］、インターネット＜URL : http://toyota.jp/alphardg/exterior/garally/index.html＞
【発明の開示】
【発明が解決しようとする課題】
【０００５】
しかしながら、いずれにせよ上記したようなサブミラーはフロントフェンダから上方に突出することになるので、美観上好ましいとはいえない。くわえて、その上方への突出は対歩行者の安全の観点からも不利である。さらには、フロントフェンダから上方に突出するサブミラーは、フロントウインドを通して視認する際の前方死角を生じさせているという問題もある。
【０００６】
したがって本発明は、外観性あるいは対歩行者の安全性を損なうことなく、車両の側面下方の視界を広く確保できるミラー構造を提供することを目的とする。
【課題を解決するための手段】
【０００７】
本発明の一側面は、車外に設けられ、車両の下方または側方の像を乗員へ反射させるミラーを配する車両のミラー構造に係り、前記車両には、第一辺が車両のフロントピラーで画成され、第二辺が前記第一辺より後方において車両上下方向へ延出されるサブピラーで画成され、第三辺がフロントフェンダで画成される開口に配されるサブウインドが設けられ、前記ミラーは、前記サブウインドを通して車両の下方または側方の像を前記車両の運転席乗員へ反射させるように、かつ、前記運転席乗員から見て前記サブウインドの前記第三辺直上の領域を遮らないように設けられ、前記フロントピラーは、外表面をなすピラーアウタパネルと、前記ピラーアウタパネルの車室内側に配されるピラーインナパネルと、前記ピラーアウタパネルと前記ピラーインナパネルとの間に配されるピラーレインフォースメントとを備え、前記ミラーは、前記ピラーレインフォースメントに固定されることを特徴とする。
【０００８】
この構成によれば、フロントウインドではなくサブウインドを通して車両の下方または側方の領域を視認するため、フロントウインド越しの前方直接視認領域を全く妨げることがない。また、運転者は、ミラーに邪魔されずにサブウインドの第三辺直上領域を通して車外を視認することが可能である。さらに、この構成によれば、補強部材等を別途設けることなく高い剛性で前記ミラーを固定することができる。
【０００９】
本発明の好適な実施形態によれば、前記サブウインドの近傍には、車両後方の像を乗員へ反射させる後視鏡が配されることが好ましい。
【００１０】
この構成によれば、従来のようにフロントウインドを通してフロントフェンダ上に設けられたサブミラーに視点を合わせて側方を視認し、その後、別方向にある後視鏡に視点を合わせて後方を視認する、という煩雑さがなくなる。すなわち、サブウインド近傍に視点を合わせるだけで、車両の下方または側方を視認するとともに、車両の後方をも視認することができ、乗員は迅速な視認を行うことができる。
【００１１】
本発明の好適な実施形態によれば、前記ミラーは前記後視鏡より車両前方に配されることが好ましい。
【００１２】
この構成によれば、前記ミラーが後視鏡よりも前方に位置し、前記ミラーによる前下方視認領域の妨げがないため、前記ミラーによる視認領域をより広くとることができる。
【００１３】
本発明の好適な実施形態によれば、前記ミラーは、車両側面視で前記フロントピラーの上縁部より下方に配されることが好ましい。
【００１４】
この構成によれば、車両側面視のシルエットを崩すことがないため、美観を向上させることができる。また、前記ミラーは、従来のサブミラーのように上方に突出することがないので、歩行者衝突時に歩行者に与えるダメージを緩和することができる。
【００１７】
本発明の好適な実施形態によれば、前記ミラーは凸面鏡であることが好ましい。
【００１８】
この構成によれば、１つのミラーで車両側面の前方から後方に亘る広い範囲を視認することができる。
本発明の好適な実施形態によれば、前記ピラーアウタパネルと前記ピラーレインフォースメントとにより閉断面が形成されており、前記ミラーは、前記閉断面を貫通するように設けられた固定手段により、前記ピラーアウタパネルと前記ピラーレインフォースメントとに共締め固定されていることが好ましい。
この構成によれば、補強部材等を別途設けることなく、より確実に、高い剛性で前記ミラーを固定することができる。
【発明の効果】
【００１９】
本発明によれば、外観性あるいは対歩行者の安全性を損なうことなく、車両の側面下方の視界を広く確保できるミラー構造が提供される。
【発明を実施するための最良の形態】
【００２０】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決手段として必須のものであるとは限らない。
【００２１】
（第１の実施形態）
図１は、本発明のミラー構造が適用される車両１の左前方からの外観を示す斜視図、図２は、車両１の左側面図である。
【００２２】
図中、１１はフロントピラー、１２はサブピラーである。フロントピラー１１はサイドボディを構成する剛性部材で、車両側面視で後方に傾けて設けられ、フロントウインド１０の左右両端を支持している。サブピラー１２もフロントピラー１１とともにサイドボディを構成する剛性部材であり、フロントピラー１１の中間部から車両下方に延出されている。また、１５はフロントフェンダ、１６はフロントドアを示している。なお、フロントピラー１１の下端部およびサブピラー１２の下端部の接続態様については図示を省略するが、例えば、フロントピラー１１の下端はフロントピラーロア（フロントフェンダ１５の車内側に配される）によって支持されており、このフロントピラーロアが車両後方に延出されて、そこにサブピラー１２の下端が接続される構成にするとよい。
【００２３】
このような構成により、斜辺である第一辺がフロントピラー１１で画成され、縦辺である第二辺が上記第一辺より後方で車両上下方向へ延出されるサブピラー１２で画成され、横辺である第三辺がフロントフェンダ１５で画成される略三角形の開口が形成されることになる。そして、この開口にサブウインド１３が嵌め込まれる。このように、本実施形態におけるサブウインド１３はサイドボディ側に設けられている。もっとも、このサブウインド１３をドア側に設ける構成としてもよいが、このような構成については第２の実施形態として後述することにする。
【００２４】
これに伴い、図１に示したフロントドア１６のサッシ１４はサブピラー１２に沿うように設けられる。また、サブウインド１３の近傍、例えばサッシ１４の下部には、車両後方の像をフロントドア１６のドアガラスを通して乗員へと反射させる後視鏡としてのドアミラー５が取り付けられている。
【００２５】
さて、本実施形態ではさらに、車両の下方または側方の像を乗員へ反射させるサブミラー６が車両１に設けられている。以下、このサブミラー６について具体的に説明する。
【００２６】
このサブミラー６は、フロントピラー１１の下方部、すなわち、サブウインド１３にかかる位置に設けられている。サブミラー６はフロントピラー１１の車外側方に取り付けられる。このとき、サブミラー６はフロントピラー１１の上縁部よりも下方に配置され、フロントピラー１１よりも上方には突出しない。このことは図２から窺い知ることができる。このため、車両側面視のシルエットを崩すことがなく、美観を向上させることができる。また、サブミラー６は、フロントピラー１１より上方に突出してないので、歩行者衝突時に歩行者に与えるダメージを緩和することができる。
【００２７】
図３は、図２のＡ−Ａ断面図である。同図に示すように、フロントピラー１１は、サブウインド１３の上端を支持するとともに、サブミラー６を支持している。フロントピラー１１は基本的には、外表面をなすピラーアウタパネル２１と、ピラーアウタパネル２１の車室内側に配されるピラーインナパネル２２とで構成されており、両者により閉断面が構成されている。また、ピラーアウタパネル２１とピラーインナパネル２２との間には、補強部材としてのピラーレインフォースメント２３も配されている。
【００２８】
さらに、サブミラー６の取り付け位置にはピラーアウタパネル２１およびピラーレインフォースメント２３を貫通するボルト孔が設けられるとともに、そのボルト孔のピラーレインフォースメント２３車内側に、ウエルトナット２４が固定される。そして、ボルト２５を用いて、サブミラー６、ピラーアウタパネル２１、ピラーレインフォースメント２３が共締めされる。このように、本実施形態におけるサブミラー６は、ピラーアウタパネル２１を介在させてピラーレインフォースメント２３に固定される。このため、専用の補強部材を別途設けることなく、サブミラー６を高い剛性で固定することができる。
【００２９】
一方、従来のフロントフェンダに取り付けるタイプのアンダミラーは、取り付け位置の剛性を確保するために、フロントフェンダの裏側に専用の補強部材を当てた上でアンダミラーを取り付けるのが通常であった。したがって、本実施形態におけるサブミラー６は容易にその取り付け剛性を確保できるという点において有利であるといえる。
【００３０】
図４は、サブウインド１３周りの車外上面図、図５は、サブウインド１３周りの車室内側面図である。
【００３１】
これら図４、図５を参照することにより、ドアミラー５、サブミラー６、サブウインド１３の相互位置関係が明瞭に理解されよう。すなわち、ドアミラー５はサブウインド１３の後端部付近に、サブミラー６はサブウインド１３の前端部付近に位置している。そのため、図５ではサブミラー６が破線で示されているとおり、車室内からの側面視ではサブミラー６はフロントピラー１１に隠れて、サブウインド１３からはほとんど見えない状態である。
【００３２】
一方、図６は、図１に示した運転席に着座している乗員の視線Ｐからみたサブウインド１３周りを示す図である。この角度からは、乗員はサブウインド１３からサブミラー６を覗き見ることができる。
【００３３】
サブミラー６は、車両１の下方または側方の、乗員からは直接には視認できない領域（非直接視認領域；例えば、図１における領域３０）の像をサブウインド１３を通して乗員へと反射させる。このサブミラー６による車両１の下方または側方の視認は、フロントウインド１０ではなくてサブウインド１３を通して行われるから、フロントウインド１０からの視界には、サブミラー６による前方死角は生じていない。つまり、フロントウインド１０ではなくサブウインド１３を通して車両の下方または側方の領域を視認するため、フロントウインド１０越しの前方直接視認領域を全く妨げることがない。本実施形態におけるサブミラー６は、図４に示すように、所定の曲率半径Ｒ（例えば、Ｒ＝１２０ｍｍ）を有する凸面鏡で構成されており、これにより、１つのミラーで車両側面の前方から後方に亘る広い範囲を視認することができるようになっている。なお、領域３０よりもさらに後方の領域については、ドアミラー５によってこれを視認することが可能である。したがって、ドアミラーによる視認領域よりも前方の従来死角となっていた領域を、このサブミラー６によって視認することが可能になる。
【００３４】
また、上記したとおりドアミラー５はサブウインド１３の後端近傍に設けられている。したがって、乗員はサブウインド１３近傍に視点を合わせるだけで、サブミラー６によって車両１の下方または側方の領域３０を視認でき、なおかつ、ドアミラー５によって車両１の後方をも視認することができる。こうして乗員は迅速な視認を行うことができる。
【００３５】
また、本実施形態では、サブミラー６はドアミラー５よりも前方に配されている。このため、図２に示されるように、サブミラー６による前下方視認領域はドアミラー５によって妨げられることはない。このため、サブミラー６による視認領域をより広くとることができる。
【００３６】
（第２の実施形態）
上述した第１の実施形態は、サブウインド１３がサイドボディに形成された略三角形の開口に配される車両構成を前提としたものであった。しかし本発明は、開口がサイドボディ自体に形成されることに限定されるものではないし、その開口が特定の形状に限定されるものでもない。たとえば、ドア側に略三角形や略四角形等の開口を形成しそこにサブウインドを配する構成であっても、本発明を適用可能である。そこで以下では、サブウインド１３がフロントドア１６に設けられる車両におけるミラー構造の実施形態を説明する。なお、上述の第１の実施形態における構成要素と同じ構成要素には同一の参照番号を付す。
【００３７】
図７は、本実施形態における車両１の外観斜視図で、図１に対応する図である。また、図８は、図７に示した運転席に着座している乗員の視線Ｐからみたサブウインド１３周りを示す図で、図６に対応する図である。
【００３８】
フロントドア１６は、フロントピラー１１の中間部において車両上下方向に延びる縦サッシ３１を備える。この縦サッシ３１は、第１の実施形態におけるサブピラー１２に相当するものである。これにより、このフロントドア１６には、ドア閉状態で、フロントピラー１１、縦サッシ３１、フロントドア１６の上縁部を一辺とする例えば略四角形の開口が形成されることになる。そして、フロントドア１６にはこの開口に対応する位置に、少なくとも縦サッシ３１およびフロントドア１６の上縁部によって支持されるサブウインド１３が取り付けられる。
【００３９】
ドアミラー５は、縦サッシ３１の下部に取り付けられる。また、サブミラー６は、第１の実施形態と同様に、フロントピラー１１の下方部、すなわち、サブウインド１３にかかる位置に設けられる。この構成により、この場合も図４、図５に示したような位置関係が得られるとともに、図８に示すように、運転席に着座している乗員からは、サブウインド１３を通してサブミラー６を覗き見ることができる。したがって、乗員はサブウインド１３近傍に視点を合わせるだけで、サブミラー６によって車両１の下方または側方の領域３０を視認でき、なおかつ、ドアミラー５によって車両１の後方をも視認することができる。こうして乗員は迅速な視認を行うことができる。このように、第１の実施形態と比較すると、本実施形態におけるサブウインド１３はフロントドア１６上に設けられたという構成上の違いがあるだけで、そのサブウインド１３の基本的な効用としては第１の実施形態と何ら変わるところはない。
【図面の簡単な説明】
【００４０】
【図１】第１の実施形態に係る車両の外観斜視図である。
【図２】図１に示した車両の左側面図である。
【図３】図２のＡ−Ａ断面図である。
【図４】サブウインド周りの車外上面図である。
【図５】サブウインド周りの車室内側面図である。
【図６】図１の視線Ｐからみたサブウインド周りを示す図である。
【図７】第２の実施形態に係る車両の外観斜視図である。
【図８】図７の視線Ｐからみたサブウインド周りを示す図である。
【符号の説明】
【００４１】
１：車両
５：ドアミラー
６：サブミラー
１０：フロントウインド
１１：フロントピラー
１２：サブピラー
１３：サブウインド
１４：サッシ
１５：フロントフェンダ
１６：フロントドア
２１：ピラーアウタパネル
２２：ピラーインナパネル
２３：ピラーレインフォースメント
２４：ウエルトナット
２５：ボルト
３１：縦サッシ
【図１】
0004655820.tif 000002
【図２】
0004655820.tif 000003
【図３】
0004655820.tif 000004
【図４】
0004655820.tif 000005
【図５】
0004655820.tif 000006
【図６】
0004655820.tif 000007
【図７】
0004655820.tif 000008
【図８】
0004655820.tif 000009